(57)【要約】本発明の電子カメラの映像信号補正装置は、暗黒撮影時の白点アドレスと白点レベルとＯＢレベル中央値、前記暗黒撮像時の感度、秒時、及び通常撮影時の温度に応じて白点レベルを補正する温度係数、感度に応じて補正する感度係数、露光の秒時に応じて補正する秒時係数とをＲＯＭに格納する。通常撮影時のＯＢレベル中央値と前記暗黒撮像におけるＯＢレベル中央値との差に基づいて被写体撮影時の温度差を求める。この温度差と温度係数とから温度による白点レベルの補正値を求め、同様に感度差と感度係数とから感度による白点レベルの補正値を求め、同様に秒時差と秒時係数とから秒時による白点レベルの補正値を求めて補正する。被写体撮影の映像信号から前記被写体撮影時におけるＯＢレベル中央値を減算して暗電流補正する。
2005004467.tif 000002
【特許請求の範囲】
【請求項１】
暗黒撮影時の映像信号に基づいて得られた白点アドレスと白点レベルとオプティカルブラックレベル中央値、並びに前記暗黒撮影時の感度、秒時を格納すると共に、電子カメラの撮影時の温度に応じて白点レベルを補正する温度係数と、電子カメラの撮影時の感度に応じて白点レベルを補正する感度係数と、電子カメラの撮影時における露光の秒時に応じて白点レベルを補正する秒時係数とを格納している記憶手段と、
被写体撮影時におけるオプティカルブラックレベル中央値と前記記憶手段に格納された暗黒撮影時におけるオプティカルブラックレベル中央値との差に基づいて前記被写体撮影時の温度差を求める温度検出手段と、
前記温度差と前記記憶手段に格納された温度係数とに基づいて、温度による白点レベルの補正値を求め、かつ前記被写体撮影時の感度と前記記憶手段に格納された暗黒撮影時の感度との感度差と、前記記憶手段に格納された感度係数とに基づいて、感度による白点レベルの補正値を求め、かつ前記被写体撮影時の秒時と前記記憶手段に格納された暗黒撮影時の秒時との秒時差と、前記記憶手段に格納された秒時係数とに基づいて、秒時による白点レベルの補正値を求め、前記被写体撮影時の映像信号に含まれる白点レベルから温度、感度、秒時による各白点レベル補正値に基づく補正を行なうと共に、前記被写体撮影時の映像信号から前記被写体撮影時におけるオプティカルブラックレベル中央値を減算する演算手段と
から構成されることを特徴とする電子カメラの映像信号補正装置。
【請求項２】
請求項１記載の電子カメラの映像信号補正装置において、
前記オプティカルブラックレベル中央値の代りに、オプティカルブラックレベル平均値を用いることを特徴とする電子カメラの映像信号補正装置。
【請求項３】
暗黒撮影時の映像信号に基づいて得られた白点アドレスと白点レベルとリファレンス暗電流レベル中央値、並びに前記暗黒撮影時の温度、感度、秒時を格納すると共に、電子カメラの撮影時の温度に応じて白点レベルと暗電流レベル中央値を補正する温度係数と、電子カメラの感度に応じて白点レベルと暗電流レベル中央値を補正する感度係数と、電子カメラの露光の秒時に応じて白点レベルと暗電流レベル中央値を補正する秒時係数とを格納している記憶手段と、
撮影時の温度を検出する温度検出手段と、
前記温度検出手段により検出された被写体撮影時の温度と前記記憶手段に格納された暗黒撮影時の温度との温度差と、前記記憶手段に格納された温度係数とに基づいて、温度による白点レベルの補正値と温度による暗電流レベル中央値の補正値を求め、かつ前記被写体撮影時の感度と前記記憶手段に格納された暗黒撮影時の感度との感度差と、前記記憶手段に格納された感度係数とに基づいて、感度による白点レベルの補正値と感度による暗電流レベル中央値の補正値を求め、かつ前記被写体撮影時の秒時と前記記憶手段に格納された暗黒撮影時の秒時との秒時差と、前記記憶手段に格納された秒時係数に基づいて、秒時による白点レベルの補正値と秒時による暗電流レベル中央値の補正値を求め、前記被写体撮影時の映像信号に含まれる白点レベルと暗電流レベル中央値から温度、感度、秒時による各白点レベル補正値に基づく補正を行なう演算手段と
から構成されることを特徴とする電子カメラの映像信号補正装置。
【請求項４】
請求項３に記載の電子カメラの映像信号補正装置において、
前記暗電流レベル中央値の代りに、暗電流レベル平均値を用いることを特徴とする電子カメラの映像信号補正装置。
【請求項５】
請求項３に記載の電子カメラの映像信号補正装置において、
前記暗電流レベル中央値の代りに、オプティカルブラックレベル中央値を用いることを特徴とする電子カメラの映像信号補正装置。
【請求項６】
請求項３に記載の電子カメラの映像信号補正装置において、前記暗電流レベル中央値の代りに、オプティカルブラックレベル平均値を用いることを特徴とする電子カメラの映像信号補正装置。
【発明の詳細な説明】
【技術分野】  本発明は、電子カメラの映像信号に含まれる暗電流や暗時白点を補正するのに好適な電子カメラの映像信号補正装置に関する。
【背景技術】  一般に、電子カメラにおいて、長秒時撮影を行なうと、暗電流と暗時白点の影響により、被写体を正確に撮影できない事態が生じる。すなわち、電子カメラの撮像素子から出力される映像信号は、通常、暗電流や暗時白点を含んでいる。これが原因となって、被写体を正確に撮影することができない。
ここで、暗時白点とは、撮像素子を構成するフォトダイオードに欠陥（不純物の混入等）があり、その欠陥の影響により、光があたっていないにも拘わらず、電荷が生成し、撮影素子から出力される映像信号に白点として現れるものである。この暗時白点は、撮像素子を構成する多数のフォトダイオードの一部に生じる。
暗電流レベル及び暗時白点の白点レベル（信号としての大きさ）は、撮影温度、撮影の秒時（露光時間）によって変化する。すなわち、温度が高いほど、かつ露光時間が長いほど大きくなる。
また、暗時白点の数についても、温度が高いほど、かつ撮影の秒時が長くなるほど多くなる。すなわち、フォトダイオードの欠陥から生成される電荷は、温度が高いほど、かつ撮影の秒時が長いほど多くなり、その結果映像信号において、暗時白点と認識される閾値を容易に超えるためである。
また、暗電流レベル及び暗時白点の白点レベルは、撮影の感度によっても変化する。ここで、感度とは電子カメラのシステム（映像信号を増幅する際の増幅率）に依存するものである。すなわち、暗電流レベル及び暗時白点の白点レベルは、感度が高いほど大きくなる。また、暗時白点の数も、感度が高いほど多くなる。これは感度が高いほど、電子カメラの映像信号において、暗時白点と認識される閾値を容易に超えるためである。
従来技術においては、前記暗電流及び暗時白点の影響を除去するため、次のようにして撮影を行なっていた。
すなわち、通常撮影を行なった後、前記通常撮影と同一の秒時で暗黒撮影を行なう。そして、通常撮影によって得られた映像信号から暗黒撮影によって得られた映像信号を減算し、暗電流と暗時白点の影響を取り除いた映像信号を得ていた。
なお、暗電流の抑制に関する先行技術としては、電子カメラの発熱量を小さくする工夫をして、暗電流を抑制するものがある（特開平１０−２７１３９８号公報参照）。
前記した従来技術には、次のような問題点がある。
第１に、被写体を通常撮影した後、同一の秒時で暗黒撮影を行なうため、撮影終了まで通常撮影の２倍の時間がかかる。特に、天体写真等では、例えば、１０分の通常撮影の後、１０分の暗黒撮影を行なうことになり、撮影結果を液晶モニタで視認可能になるまでに多大の時間が（２０分以上）かかるという問題点があった。
第２に、撮影を２回行なうため、電力が２倍消費されるという問題点があった。
【発明の開示】
本発明の目的は、２回の撮影を行なうことなく、暗電流補正と暗時白点補正を行なって、暗電流と暗時白点の影響を取り除いた映像信号を得ることが可能な電子カメラの映像信号補正装置を提供することにある。
第１の発明は、暗黒撮影時の映像信号に基づいて得られた白点アドレスと白点レベルとオプティカルブラックレベル中央値、並びに前記暗黒撮影時の感度、秒時を格納すると共に、電子カメラの撮影時の温度に応じて白点レベルを補正する温度係数と、電子カメラの撮影時の感度に応じて白点レベルを補正する感度係数と、電子カメラの撮影時における露光の秒時に応じて白点レベルを補正する秒時係数とを格納している記憶手段と、被写体撮影時におけるオプティカルブラックレベル中央値と前記記憶手段に格納された暗黒撮影時におけるオプティカルブラックレベル中央値との差に基づいて前記被写体撮影時の温度差を求める温度検出手段と、前記温度差と前記記憶手段に格納された温度係数とに基づいて、温度による白点レベルの補正値を求め、かつ前記被写体撮影時の感度と前記記憶手段に格納された暗黒撮影時の感度との感度差と、前記記憶手段に格納された感度係数とに基づいて、感度による白点レベルの補正値を求め、かつ前記被写体撮影時の秒時と前記記憶手段に格納された暗黒撮影時の秒時との秒時差と、前記記憶手段に格納された秒時係数とに基づいて、秒時による白点レベルの補正値を求め、前記被写体撮影時の映像信号に含まれる白点レベルから温度、感度、秒時による各白点レベル補正値に基づく補正を行なうと共に、前記被写体撮影時の映像信号から前記被写体撮影時におけるオプティカルブラックレベル中央値を減算する演算手段とから構成されることを特徴とする。
第２の発明は、第１の発明の電子カメラの映像信号補正装置において、前記オプティカルブラックレベル中央値は、オプティカルブラックレベル平均値であることを特徴とする。
第３の発明は、暗黒撮影時の映像信号に基づいて得られた白点アドレスと白点レベルとリファレンス暗電流レベル中央値、並びに前記暗黒撮影時の温度、感度、秒時を格納すると共に、電子カメラの撮影時の温度に応じて白点レベルと暗電流レベル中央値を補正する温度係数と、電子カメラの感度に応じて白点レベルと暗電流レベル中央値を補正する感度係数と、電子カメラの露光の秒時に応じて白点レベルと暗電流レベル中央値を補正する秒時係数とを格納している記憶手段と、撮影時の温度を検出する温度検出手段と、前記温度検出手段により検出された被写体撮影時の温度と前記記憶手段に格納された暗黒撮影時の温度との温度差と、前記記憶手段に格納された温度係数とに基づいて、温度による白点レベルの補正値と温度による暗電流レベル中央値の補正値を求め、かつ前記被写体撮影時の感度と前記記憶手段に格納された暗黒撮影時の感度との感度差と、前記記憶手段に格納された感度係数とに基づいて、感度による白点レベルの補正値と感度による暗電流レベル中央値の補正値を求め、かつ前記被写体撮影時の秒時と前記記憶手段に格納された暗黒撮影時の秒時との秒時差と、前記記憶手段に格納された秒時係数に基づいて、秒時による白点レベルの補正値と秒時による暗電流レベル中央値の補正値を求め、前記被写体撮影時の映像信号に含まれる白点レベルと暗電流レベル中央値から温度、感度、秒時による各白点レベル補正値に基づく補正を行なう演算手段とから構成されることを特徴とする。
第４の発明は、第３の発明の電子カメラの映像信号補正装置において、前記暗電流レベル中央値は、暗電流レベル平均値であることを特徴とする。
第５の発明は、第３の発明の電子カメラの映像信号補正装置において、前記暗電流レベル中央値は、オプティカルブラックレベル中央値であることを特徴とする。
第６の発明は、第３の発明の電子カメラの映像信号補正装置において、前記暗電流レベル中央値は、オプティカルブラックレベル平均値であることを特徴とする。
第１〜第６に記載の発明によれば、暗黒撮影時に得た複数のパラメータを記憶手段に格納し、被写体撮影時に前記複数のパラメータを用いて、温度、感度、露光の秒時に基づいて暗電流と白点レベルを補正することが可能になる。
また、第１〜第６に記載の本発明によれば、２回の撮影を行なうことなく、暗電流補正と暗時白点補正を行なって、暗電流と暗時白点の影響を取り除いた映像信号を得ることが可能な電子カメラの映像信号補正装置を提供することができる。
【図面の簡単な説明】  図１は、本発明の第１の実施の形態を示すブロック図である。
図２は、図１に示す撮像素子１と映像信号Ｓとの関係の一例を示す図である。
図３は、電子カメラで暗黒撮影を行なったときのヒストグラム（横軸にリファレンスＯＢレベル、縦軸に頻度）を示す図である。
図４は、本発明の第２の実施の形態を示すブロック図である。
【発明を実施するための最良の形態】  以下、本発明の実施の形態について説明する。
（第１の実施の形態）
図１は、本発明の第１の実施の形態を示すブロック図である。
図１において、１は撮像素子であり、図示していないが複数のフォトダイオードと各フォトダイオードに生成した電荷を転送する複数ラインのＣＣＤ等から構成されている。２は相関二重サンプリング回路（図中、ＣＤＳ（Ｃｏｒｒｅｌａｔｅｄ  Ｄｏｕｂｌｅ  Ｓａｍｐｌｉｎｇ）と記載する）、３はプログラマブルゲインアンプ（図中、ＰＧＡと記載する）、４はアナログ／デジタル変換器（図中、Ａ／Ｄと記載する）、５はオプティカルブラックレベル比較器（図中、ＯＢレベル比較器と記載する）、６は各種のデータを格納するＲＯＭ、７はＣＰＵ、８は加算器である。
ここで、撮像素子１は、被写体を撮像し撮像結果を電気信号として出力する。相関二重サンプリング回路２は、よく知られているように、撮像素子１から入力された電気信号から低周波ノイズを低減する役割を有する。プログラマブルゲインアンプ３は、ゲインを調整して前記電気信号の出力を適性レベルに調整する。アナログ／デジタル変換器４は、アナログ信号である電気信号をデジタル信号に変換する。ＯＢレベル比較回路５は、ＲＯＭ６に格納されているリファレンス取得時ＯＢレベルと映像信号Ｓに含まれるＯＢレベルを比較し、両者の差を出力する。これは、後述するように、両ＯＢレベル差から撮影時の温度を算出するために用いられる。
なお、ＣＰＵ７と加算器８の動作については、図１に示す第１の実施の形態の動作と共に、以下に説明する。
図１に示す第１の実施の形態の動作について説明する。
（１）最初に、電子カメラは暗黒撮影を行なう。このとき、ＣＰＵ７はＲＯＭ６内に各種のデータを格納する。
第１の実施の形態においては、暗黒撮影によって、ＲＯＭ６内に、白点アドレス、リファレンス白点レベル、リファレンス取得時ＯＢレベル中央値、リファレンス取得時感度、リファレンス取得時秒時（露光の秒時）の各データが格納される。
ここで、リファレンス取得時とは、暗黒撮影時を意味する。また、あらかじめ得られている温度係数、感度係数、秒時係数も格納される。以下、各データの意味を説明する。
白点アドレスとは、撮像素子１における欠陥のあるフォトダイオードに起因して、暗時白点を示すアドレスを意味する。白点アドレスは、言うまでもなく複数個存在する。
また、リファレンス白点レベルとは、各白点アドレスにおける映像信号Ｓの出力レベルを意味する。したがって、白点レベルは前記複数の白点アドレスに各々対応して格納されている。
次に、リファレンス取得時ＯＢレベル中央値を説明する。先ず、リファレンス取得時ＯＢレベルついて説明する。リファレンス取得時ＯＢレベルとは、レファレンス白点レベル取得時におけるオプティカルブラック（ＯＢ）レベルを意味する。ＯＢレベルとは、具体的には、撮像素子１においてフォトダイオードが光学的に完全に遮蔽された領域から出力される映像信号Ｓの出力レベルである。すなわち、撮像素子１は光が全て遮蔽されるように構成された領域に複数のフォトダイオードを備えており、この光遮蔽領域の複数のフォトダイオードに基づいて出力される映像信号ＳがＯＢレベルである。
図２を用いて、ＯＢレベルについて具体的に説明する。
図２は、映像信号Ｓと撮像素子１の受光領域との関係の一例を示す図である。
図２（ａ）は、図１に示すＡ／Ｄ変換器４から出力される映像信号Ｓの一例を示す波形図である。また、図２（ｂ）は、図１に示す撮像素子１の撮像領域Ｃに存在している欠陥を有する複数のフォトダイオード（図中、白点と表示する）と、ＯＢレベルを出力するために設けられている光遮蔽領域Ａ、Ｂを示す説明図である。
図２（ａ）に示す映像信号Ｓは、図２（ｂ）に示す撮像素子１の受光領域におけるラインＬに対応するものである。図２（ａ），（ｂ）に示すように、光遮蔽領域Ａ、Ｂから読み出される映像信号Ｓは、撮像素子１のフォトダイオードが光遮蔽された領域からの出力であるため、ＯＢレベルとなる。光遮蔽領域Ａ、Ｂの映像信号Ｓにおいて、ＯＢレベルは映像信号Ｓにおいて黒レベルを定義する意義を有する。
ＲＯＭ６に格納されるリファレンス取得時ＯＢレベル中央値とは、前記光遮蔽領域Ａ、Ｂから出力される映像信号Ｓをヒストグラム（横軸にリファレンスＯＢレベル、縦軸に頻度）で表したとき、頻度が最大になるリファレンスＯＢレベルを意味する。
図３を用いて、リファレンス取得時ＯＢレベル中央値について説明する。図３は、暗黒撮影を行なったときのヒストグラム（横軸にリファレンスＯＢレベル、縦軸に頻度）の一例を示す図である。図示するように、頻度が最大になるリファレンスＯＢレベルが、リファレンスＯＢレベル中央値である。また、頻度がリファレンスＯＢレベルの平均値になるのが、リファレンスＯＢレベル平均値である。なお、この実施の形態においては、ＲＯＭ６にリファレンスＯＢレベル中央値を格納したが、リファレンスＯＢレベル中央値の代りに、リファレンスＯＢレベル平均値を格納してもよい。
リファレンス取得時感度とは、レファレンス白点レベル取得時におけるプログラマブルゲインアンプ（ＰＧＡ）３の感度を意味する。ＩＳＯ感度で表してもよいし、プログラマブルゲインアンプ（ＰＧＡ）３のゲインとして表してもよい。
リファレンス取得時秒時とは、レファレンス白点レベル取得時における露光の秒時を意味する。
また、温度係数とは、白点レベル及びリファレンス取得時ＯＢレベルを取得したときの温度（暗黒撮影時の温度）と通常撮影時の温度との温度差に応じて、白点レベルを補正するために必要な係数である。前記したように、白点レベルは温度が高いほど大きくなる。そのため、前記温度差に応じて白点レベルを補正するものである。
なお、前記したように、白点の数は、温度が高いほど多くなる。これは、温度が高いと、白点レベルの閾値を超える電荷を励起する欠陥を有するフォトダイオードが多くなるためである。そのため、リファレンス取得時ＯＢレベル及び白点レベルを取得するときの温度（暗黒撮影時の温度）は、白点の数を多数取得しやすくするため、比較的高めの温度（例えば、２５度程度）が好ましい。
感度係数とは、図１に示すプログラマブルゲインアンプ（ＰＧＡ）３の感度に応じて、映像信号Ｓのレベルを補正するための係数である。映像信号Ｓには、暗電流や白点レペルが含まれているので、結果として、暗電流や白点レベルを補正するための係数になる。暗電流や白点レベルはプログラマブルゲインアンプ（ＰＧＡ）３の感度が高いほど高くなるため、暗電流や白点レベルを補正するために格納されている。これは、フォトダイオードに起因するものではなく、電子カメラのシステムに起因するものである。すなわち、感度が高いと、白点レベルの閾値を超える電荷を生成する欠陥を有するフォトダイオードの数（白点の数）は多くなり、また暗電流も大きくなる。
秒時係数とは、露光の秒時に応じて暗電流や白点レベルを補正するための係数である。前記したように、暗電流や白点レベルは露光の秒時が長いほど大きくなるため、暗電流や白点レベルを露光の秒時に応じて補正するために格納されている。
前記温度係数と感度係数と秒時係数は、電子カメラの設計時や工場出荷時に行なう試験等によりあらかじめ求めることができ、求められた係数がＲＯＭ６に格納される。
なお、暗黒撮影は、高い温度（例えば、２５度程度）、長秒時の撮影、感度大の条件で行なうことが望ましい。理由は、前記条件では、暗時白点数（白点アドレス）を多く採ることができるからである。
また、暗黒撮影を工場出荷時に行なうことにより、ユーザが暗黒撮影を行なって、前記各データをＲＯＭ６に格納する手間を省くことができる。
（２）次に、暗黒撮像によって各種データをＲＯＭ６に格納した電子カメラは、通常の被写体撮影を行なう。したがって、被写体撮影による映像信号Ｓが、Ａ／Ｄ変換器４から出力される。
（３）次に、図１のＣＰＵ７は、ＲＯＭ６から各白点アドレスと各白点アドレスに対応する白点レベルを読み出す。続いて、ＣＰＵ７は、前記被写体撮影時における感度、露光の秒時を認識する。
（４）次に、ＯＢレベル比較器５は、前記被写体撮影に基づく映像信号ＳからＯＢレベルを取得し、ＲＯＭ６からレファレンス取得時ＯＢレベル中央値を取得する。これにより、ＯＢレベル比較器５は、撮影時のＯＢレベル中央値に対しその露光秒時（露光時間）に応じた補正を行った値（具体的には、（撮影時ＯＢレベル中央値）×Ｋ×（レファレンス取得時秒時／撮影秒時、ここでＫは所定係数）と、暗黒撮影時のレファレンス取得時ＯＢレベル中央値とを比較し、両ＯＢレベルの差に基づいて、被写体撮影時と暗黒撮影時の温度差を求める。
（５）ＣＰＵ７は、前記求められた温度差とＲＯＭ７に格納されている温度係数を乗算して、温度補正値を算出する。
また、ＣＰＵ７は、あらかじめ取得している被写体撮影時の感度とＲＯＭ７に格納されているリファレンス取得時感度との感度差を求め、前記感度差にＲＯＭ７に格納されている感度係数を乗算して感度補正値を算出する。
同様に、ＣＰＵ７は、あらかじめ取得している被写体撮影時における露光の秒時とＲＯＭ７に格納されているリファレンス取得時秒時との秒時差を求め、前記感度差にＲＯＭ７に格納されている秒時係数を乗算して秒時補正値を算出する。
（６）次に、ＣＰＵ７は、加算器８を用いて、アナログ／デジタル変換器５から出力される映像信号Ｓに対して、各白点アドレスに基づいて白点レベルの補正を前記温度補正値、感度補正値、秒時補正値に基づいて行なう。
同時に、ＣＰＵ７は、公知の手法にて被写体撮影時の映像信号ＳのＯＢレベルを求め、加算器８を用いてアナログ／デジタル変換器５から出力される映像信号Ｓから被写体撮影時のＯＢレベルを減算し、暗電流補正を行なう。
なお、前記第１の実施の形態においては、ＲＯＭ６にリファレンスＯＢレベル中央値を格納したが、前記したようにリファレンスＯＢレベル中央値の代りに、リファレンスＯＢレベル平均値を格納してもよい。この場合には、ＯＢレベル比較器５は、暗黒撮影時のレファレンス取得時ＯＢレベル平均値と通常の被写体撮影時におけるＯＢレベルを比較し、両ＯＢレベルの差に基づいて、被写体撮影時の温度差を求める。
第１の実施の形態によれば、撮影を２回行なう必要がないため、撮影時間を大幅に短縮することができ、消費電力を大幅に削減することができる。
また、温度センサを設ける必要がない。
また、電子カメラのＯＢレベルを用いて被写体撮影時の温度検出を行なって、温度、感度、秒時による白点レベルの補正を行なうとともに、被写体撮影時の映像信号から被写体撮影時のＯＢレベルを減算することにより、暗電流の補正を行なうため、正確な暗電流補正が可能になる。
（第２の実施の形態）
図４は、本発明の第２の実施の形態を示すブロック図である。図４に示す第２の実施の形態において、図１に示す第１の実施の形態と同一部分には同一符号を付してその説明を省略する。
第２の実施の形態が第１の実施の形態と相違しているのは、第１の実施の形態におけるＯＢレベル比較器５の代りに温度センサ９が設けられ、かつ、ＲＯＭ６内にリファレンス暗電流レベル中央値とリファレンス取得時温度が格納され、ＲＯＭ６内にリファレンス取得時ＯＢレベル中央値が格納されていない点である。
なお、ＲＯＭ６内にリファレンス暗電流レベル中央値の代りに、リファレンス暗電流レベル平均値を格納してもよい。
以下、図４に示す第２の実施の形態の動作について説明する。
（１）最初に、電子カメラは暗黒撮影を行なって、ＲＯＭ６内に図示する各種のデータを格納する。前記したように、ＲＯＭ６内にリファレンス暗電流レベル中央値（又はリファレンス暗電流レベル平均値）とリファレンス取得時温度が新たに格納される。
ここで、暗黒撮影を行なったときのヒストグラム（横軸に暗電流レベル、縦軸に頻度）において、頻度が最大になる暗電流レベルが、リファレンス暗電流レベル中央値である。また、頻度が暗電流レベルの平均値になるのが、リファレンス暗電流レベル平均値である。
ＲＯＭ６内に格納されるリファレンス取得時温度は、被写体撮影時に温度センサ９から出力される温度データとの差に基づいて、白点レベルと暗電流を温度補正する際に用いられる。
ＲＯＭ６内に格納される他のデータについては、第１の実施の形態と同様であるので、説明を省略する。
（２）次に、暗黒撮像によって各種データをＲＯＭ６に格納した電子カメラは、被写体撮影を行なう。したがって、被写体撮影による映像信号Ｓが、Ａ／Ｄ変換器４から出力される。
（３）この状態において、図４のＣＰＵ７は、ＲＯＭ６からリファレンス暗電流レベル中央値と各白点アドレスと各白点アドレスの白点レベルを読み出す。
（４）続いて、図４のＣＰＵ７は、前記被写体撮影時における感度、露光の秒時を認識する。被写体撮影時における感度、露光の秒時自体は、ＣＰＵ７内のメモリに格納されている。
また、図４のＣＰＵ７は、被写体撮影時における温度を温度センサ９から得る。
（５）ＣＰＵ７は、前記被写体撮影時の温度とＲＯＭ６に格納されているリファレンス取得時温度との温度差、及び前記被写体撮影時の感度とリファレンス取得時感度との感度差、及び被写体撮影時における露光の秒時とＲＯＭ７に格納されているリファレンス取得時秒時との秒時差を求める。
続いて、ＣＰＵ７は、ＲＯＭ６に格納されている温度係数、感度係数、秒時係数に基づいて、それぞれ各白点レベルについての補正値とリファレンス取得時暗電流レベルについての暗電流補正値を算出する。
（６）次に、ＣＰＵ７は、加算器８を用いて、アナログ／デジタル変換器５から出力される映像信号Ｓに対して、白点アドレスに基づいて白点レベルの補正を行なう。また、ＣＰＵ７は、加算器８を用いて、アナログ／デジタル変換器５から出力される映像信号Ｓに対して、前記暗電流補正値を用いて暗電流補正を行なう。
なお、前記第２の実施の形態においては、暗電流として暗電流中央値を補正するように構成したが、本発明はこれに限定されるものではなく、暗電流レベル平均値、並びにＯＢレベル中央値、ＯＢレベル平均値を補正するように構成してもよい。
前記第２の実施の形態によれば、撮影を２回行なう必要がないため、撮影時間を大幅に短縮することがき、消費電力を大幅に削減することができる。
また、温度センサを用いて温度の検出を行ない、暗電流補正と共に、温度、感度、秒時による白点レベルの補正を行なうため、正確な補正が可能になる。
なお、第２の実施の形態においては、ＲＯＭ６に格納する温度係数をあらかじめ求めたが、本実施の形態においては温度センサ９が設けられているため、被写体撮影時の温度と暗黒撮影時の温度との差から温度係数を求めることも可能である。
産業上の利用の可能性
本発明によれば、暗電流補正と暗時白点補正を行なって、暗電流と暗時白点の影響を取り除いた映像信号を得ることが可能な電子カメラの映像信号補正装置を提供することができる。したがって、電子カメラの分野において、産業上大いに利用することができる。
【図１】
2005004467.tif 000003
【図２】
2005004467.tif 000004
【図３】
2005004467.tif 000005
【図４】
2005004467.tif 000006
【国際調査報告】
2005004467.tif 000007
2005004467.tif 000008
2005004467.tif 000009
2005004467.tif 000010
2005004467.tif 000011
2005004467.tif 000012